(57)【要約】【課題】  原稿を表と裏を意識することなくセットしても、自動的に表面だけが送信されるファクシミリ装置を提供する。【解決手段】  スキャナにより両面読み取りを行う。読み取られた両面の画情報のうち片面１は真っ白かを判断する。片面１が真っ白であれば片面２の画情報を送信する。片面１が真っ白でない場合は、その片面１の画情報を送信する。このように両面を読み取り、真っ白でない側を表面と認識して送信することにより、ユーザが原稿の面を気にせずにセットしても、自動的に表面（画情報のある面）だけを送信することができ、誤って裏面を送ってしまうことを防ぐことができる。【選択図】  図２
2006332901.tif 000002
【特許請求の範囲】
【請求項１】
原稿の両面を読み取る読み取り手段と、
読み取られた両面の画情報のうち一方の片面が白紙だった場合は、他方の片面の画情報を送信するよう制御する送信制御手段とを設けることを特徴とするファクシミリ装置。
【請求項２】
前記送信制御手段は、前記読み取られた両面の画情報の両面とも白紙でない場合は、画情報の送信を中止することを特徴とする請求項１記載のファクシミリ装置。
【請求項３】
前記読み取られた両面の画情報の両面とも白紙ではない場合は、両面とも送信するか送信を中止するかを選択する選択手段を設け、前記送信制御手段は前記選択に応じて送信を制御することを特徴とする請求項１又は２記載のファクシミリ装置。
【請求項４】
原稿の両面を読み取る工程と、前記読み取られた両面の画情報のうち一方の片面が白紙だった場合は、他方の片面の画情報を送信する工程と、を有することを特徴とする送信制御方法。
【請求項５】
前記読み取られた両面の画情報の両面とも白紙でない場合は、送信を中止することを特徴とする請求項４記載の送信制御方法。
【請求項６】
前記読み取られた両面の画情報の両面とも白紙ではない場合は、両面とも送信するか送信を中止するかを選択できるようにすることを特徴とする請求項４又は５記載の送信制御方法。
【請求項７】
原稿の両面を読み取る読み取り処理と、
読み取られた両面の画情報のうち一方の片面が白紙か否かを判断する判断処理と、
前記一方の片面が白紙であった場合に他方の片面の画情報を送信する送信処理をコンピュータに実行させるプログラム。
【請求項８】
前記読み取られた両面の画情報の両面とも白紙か否かを判断する判断処理と、
前記両面とも白紙でない場合は、送信を中止する送信中止処理をコンピュータに実行させることを特徴とする請求項７記載のプログラム。
【請求項９】
前記読み取られた両面の画情報の両面とも白紙ではない場合は、両面とも送信するか送信を中止するかを選択する選択処理をコンピュータに実行させる請求項７又は８記載のプログラム。
【発明の詳細な説明】
【技術分野】
【０００１】
本発明は原稿の両面読み取り可能なファクシミリ装置、送信制御方法及びそのプログラムに関し、特に原稿の送信技術に関するものである。
【背景技術】
【０００２】
従来の原稿の両面読み取り可能なファクシミリ装置で片面原稿(片面のみ画情報がある原稿)を送信する際は、原稿の画情報のある面をスキャナが読み取るように原稿をセットしなければならない。また、従来より両面読み取りが可能であるが、送付票を付けて送信する場合のことを考慮して、１ページ目だけは片面だけを送信するようにした技術が提案されている（特許文献１）。
【特許文献１】特許第３４９９５３９号公報
【発明の開示】
【発明が解決しようとする課題】
【０００３】
両面読み取り可能なファクシミリ装置を使って片面原稿を送信する際に、表と裏を誤って原稿をセットしてしまうと、裏面の白紙が送られてしまうことになり、このため片面だけ送る場合は、ユーザは原稿のセットする面を間違えないように気をつけなくてはならないという問題があった。この問題は、特許文献１において片面だけを送る場合も同様であった。
本発明は、原稿の表裏を気にせずにセットしても、誤って画情報の無い面を送ってしまうことを防ぐことを課題とする。
【課題を解決するための手段】
【０００４】
請求項１の発明によるファクシミリ装置は、原稿の両面を読み取る読み取り手段と、読み取られた両面の画情報のうち一方の片面が白紙だった場合は、他方の片面の画情報を送信するよう制御する送信制御手段と、を設けることを特徴とするものである。
【０００５】
請求項２の発明によるファクシミリ装置は、請求項１記載の装置において、前記送信制御手段は、前記読み取られた両面の画情報の両面とも白紙でない場合は、画情報の送信を中止することを特徴とするものである。
【０００６】
請求項３の発明によるファクシミリ装置は請求項１又は２記載の装置において、前記読み取られた両面の画情報の両面とも白紙ではない場合は、両面とも送信するか送信を中止するかを選択する選択手段を設け、前記送信制御手段は前記選択に応じて送信を制御することを特徴とするものである。
【０００７】
請求項４の発明による送信制御方法は、原稿の両面を読み取る工程と、読み取られた両面の画情報のうち一方の片面が白紙だった場合は、他方の片面の画情報を送信する工程を有することを特徴とするものである。
【０００８】
請求項５の発明による送信制御方法は、請求項４記載の制御方法において、前記読み取られた両面の画情報の両面とも白紙でない場合は、送信を中止することを特徴とするものである。
【０００９】
請求項６の発明による送信制御方法は、請求項４又は５記載の制御方法において、前記読み取られた両面の画情報の両面とも白紙でない場合は、両面とも送信するか送信を中止するかを選択できるようにすることを特徴とするものである。
【００１０】
請求項７の発明によるプログラムは、原稿の両面を読み取る読み取り処理と、読み取られた両面の画情報のうち一方の片面が白紙か否かを判断する判断処理と、前記一方の片面が白紙であった場合に他方の片面の画情報を送信する送信処理をコンピュータに実行させるものである。
【００１１】
請求項８の発明によるプログラムは、請求項７記載のプログラムにおいて、前記読み取られた両面の画情報の両面とも白紙か否かを判断する判断処理と、前記両面とも白紙でない場合は、送信を中止する送信中止処理をコンピュータに実行させることを特徴とするものである。
【００１２】
請求項９の発明によるプログラムは、請求項７又は８記載のプログラムにおいて、前記読み取られた両面の画情報の両面とも白紙ではない場合は、両面とも送信するか送信を中止するかを選択する選択処理をコンピュータに実行させるものである。
【発明の効果】
【００１３】
請求項１、４、７の発明によれば、ユーザは表と裏を意識することなく原稿をセットしても自動的に表面だけを送ることができ、間違って裏面を送ってしまうことを防ぐことができる。
請求項２、５、８の発明によれば、裏紙が使われている場合に、裏側を送ってしまうような事態を防ぐことができる。
請求項３、６、９の発明によれば、裏紙が使われている場合と、両面原稿が使われている場合の、両方に対処ですることができる。
【発明を実施するための最良の形態】
【００１４】
以下、本発明の実施形態を図面と共に説明する。
図１は本発明の実施形態に係るファクシミリ装置の構成を示すブロック図である。図１において、本装置は、全体を制御するＣＰＵ１、制御のためのプログラムやデータ等を記憶しているＲＯＭ２、制御に必要な種々のデータを記憶するＲＡＭ３、オペレータによる操作を入力すると共に情報をオペレータに伝えるオペポート４、原稿読み取りを行うスキャナ５、コピーや原稿出力を行うプロッタ６、通信回線の制御を行う網制御部７、送信信号の変調や受信信号の復調を行うモデム８、画情報を所定の符号化方式にしたがって符号化し、また、符号化された画情報を複合化する符号化・複合化部９、相手ファクシミリ装置との間でファクシミリ制御信号を交換し、ファクシミリ通信手順を実行する通信制御部１０から構成されており、これら各部はバス１１により接続されている。
【００１５】
図２は本発明の実施形態に係る動作を示すフローチャートである。尚、以下の説明において、原稿の両面を読み取って、画情報を蓄積する仕組みについては、周知の技術であるので説明は省略する。原稿の片面が真っ白(白紙)であるということについては、実際は、裏面の白い中にも汚れなどがあり、１００％白データのみ、とはいかないため、例えば白データが全体の何％以下だったら、真っ白、と判断すると決めておけばよい。
【００１６】
図２において、まずスキャナ５により両面読み取りを行う（ステップＳ１）。読み取られた両面の画情報のうち片面１は真っ白かを判断する（ステップＳ２）。片面１が真っ白であれば（ステップＳ２／ＹＥＳ）片面２の画情報を送信する（ステップＳ３）。片面１が真っ白でない場合は（ステップＳ２／ＮＯ）、その片面１の画情報を送信する（ステップＳ４）。
【００１７】
以上のように本実施の形態によれば、両面を読み取り、真っ白でない側を表面と認識して送信することにより、ユーザが原稿の面を気にせずにセットしても、自動的に表面（画情報のある面）だけを送信することができ、誤って白い裏面を送ってしまうことを防ぐことができる。
【００１８】
図３は本発明の他の実施形態に係る動作を示すフローチャートである。上述した実施形態では、原稿の裏紙を使っている可能性がある。例えば既にコピー等による画情報が印刷されている紙の裏側を利用して原稿とするような場合である。その場合には、表裏面共真っ白ではないので対処できない。本実施の形態はこの問題を解決するものである。
【００１９】
図３において、まずスキャナ５により両面読み取りを行う（ステップＳ１１）。読み取られた両面のうち片面１は真っ白かを判断する（ステップＳ１２）。片面１が真っ白であれば（ステップＳ１２／ＹＥＳ）片面２を送信する（ステップＳ１３）。片面１が真っ白でない場合は（ステップＳ１２／ＮＯ）、片面２は真っ白かを判断する（ステップＳ１４）。片面２が真っ白であれば（ステップＳ１４／ＹＥＳ）、片面１を送信する（ステップＳ１５）。片面２が真っ白でない場合は（ステップＳ１４／ＮＯ）、送信を中止する（ステップＳ１６）。
【００２０】
本実施の形態によれば、両面とも白紙ではない場合には、裏側を利用した原稿と判断して送信を中止することにより、裏側を送ってしまうことを防ぐことができる。
【００２１】
図４は本発明の他の実施形態に係る動作を示すフローチャートである。上述した実施形態において、両面原稿の場合のように意図的に両面を送りたい場合は送信できないことになる。本実施の形態はこの問題を解決するものである。
【００２２】
図４において、まずスキャナ５により両面読み取りを行い（ステップＳ２１）、読み取られた両面のうち片面１は真っ白かを判断する（ステップＳ２２）。片面１が真っ白であれば（ステップＳ２２／ＹＥＳ）片面２を送信する（ステップＳ２３）。片面１が真っ白でない場合は（ステップＳ２２／ＮＯ）、片面２は真っ白かを判断する（ステップＳ２４）。片面２が真っ白であれば（ステップＳ２４／ＹＥＳ）、片面１を送信する（ステップＳ２５）。片面２が真っ白でない場合は（ステップＳ２４／ＮＯ）、送信中止か両面送信かをユーザに選択させる画面を表示する（ステップＳ２６）。いずれが選択されたかを判断し（ステップＳ２７）、両面送信が選択されれば両面を送信し（ステップＳ２８）、送信中止が選択されれば送信を中止する（ステップＳ２９）。
【００２３】
本実施の形態によれば、両面とも画情報があった場合は、両面とも送るか送信を中止するか選択可能にすることにより、裏紙が使われている場合と、両面原稿が使われている場合の両方に対処することができる。
【００２４】
尚、図２、図３、図４のフローチャートに示す処理を、ＣＰＵ１が実行するためのプログラムは本発明によるプログラムを構成する。このプログラムを記録する記録媒体としては、半導体記憶装置や光学的及び／又は磁気的な記憶装置等を用いることができる。このようなプログラム及び記録媒体を、前述した各実施の形態とは異なる構成のシステム等で用い、そこのＣＰＵで上記プログラムを実行させることにより、本発明と実質的に同じ効果を得ることができる。
【図面の簡単な説明】
【００２５】
【図１】本発明の実施形態に係るファクシミリ装置の構成を示すブロック図である。
【図２】本発明の他の実施形態に係るファクシミリ装置の動作を示すフローチャートである。
【図３】本発明の他の実施形態に係るファクシミリ装置の動作を示すフローチャートである。
【図４】本発明の他の実施形態に係るファクシミリ装置の動作を示すフローチャートである。
【符号の説明】
【００２６】
１    ＣＰＵ
２    ＲＯＭ
３    ＲＡＭ
４    オペポート
５    スキャナ
６    プロッタ
７    網制御部
８    モデム
９    符号化・複合化部
１０    通信制御部
１１    バス
【図１】
2006332901.tif 000003
【図２】
2006332901.tif 000004
【図３】
2006332901.tif 000005
【図４】
2006332901.tif 000006